(57)【要約】【課題】複製品であっても、その所有者及び作者に利益がでる複製品証明方法を得る。【解決手段】真作２１５を所有する真作側２００が認めた会員側１００の複製品識別タグ１３２ｄを埋込んだ複製品１３０ｄを会員側端末１５０で読込んで、この複製品１３０ｄに対する真作側２００が認めた複製品証明証情報Ｂｉをサービスサイト６００から会員側端末１５０に送信する。【選択図】図１
2020149076.tif 000002
【特許請求の範囲】
【請求項１】
コンピュータが、
真作の複製品（彫刻、絵画）に備えられた（埋込み、貼付）、無線タグに登録されている複製品識別情報を近距離無線通信手段で読込むステップ（スマフォ、リーダ）と、
読込んだ複製品識別情報と記憶手段の識別情報との一致の有無を判定するステップ（スマフォ、パソコン、クラウド）と、
一致する識別情報に関連付けられている前記複製品の複製品証明証画像を読込むステップ（スマフォ、パソコン、クラウド）と、
この複製品証明証画像を画面に表示するステップ（スマフォ、パソコン、クラウド）と
を行うことを特徴とする複製品証明方法。
【請求項２】
前記複製品識別情報の受信年月日時刻が前記一致する識別情報に含まれている複製品証明期間内の場合は、前記複製品証明画像を読込させるステップを行うことを特徴とする請求項１記載の複製品証明方法。
【請求項３】
真作側から購入した複製品を所有する複製品所有者側に対して、複製品証明サービスサイトが、前記複製品に対する複製品証明情報を通信回線によって前記複製品所有者側に送信する複製品認証システムであって、
前記複製品所有者側は、
前記複製品の識別情報が記憶された無線タグが貼り付け又は内蔵された前記真作の複製品と、
前記無線タグの複製品の識別情報を近距離無線通信手段により読取って、この複製品の識別情報を前記複製品証明サービスサイトに送信して、前記複製品の識別情報に対する前記複製品証明情報を適宜、画面に表示する複製品表示端末を備え、
前記複製品証明サービスサイトのサーバは、
前記複製品の識別情報に、前記真作側が複製品として認めたことを示す前記複製品証明情報が記憶された記憶部と、
前記複製品表示端末からの前記複製品の識別情報と前記記憶部の識別情報とが一致する場合は、一致する識別情報に関連付けられている前記複製品証明情報を前記複製品表示端末に返送する複製品認証部と
を有することを特徴とする複製品証明サービスシステム。
【請求項４】
前記記憶部の複製品証明情報は、前記複製品を購入する購入者が決めた複製品証明期間を含み、
前記複製品認証部は、
前記複製品識別情報の受信年月日時刻が前記記憶部の識別情報に含まれている複製品証明期間内の場合に、前記複製品証明情報を前記複製品表示端末に返送させる手段を備えていることを特徴とする請求項３記載の複製品証明サービスシステム。
【発明の詳細な説明】
【技術分野】
【０００１】
本発明は、複製品証明方法及び複製品証明システムに関する。
【背景技術】
【０００２】
アート作品、古物、絵画等の本物の美術品（以下、真作という）は一般に非常に高価であり、容易には購入できない。
このため、安価なレプリカ（以下、複製品という）を購入することが多い。
【０００３】
また、複製品といっても本物の美術品とそん色がないものがあり、容易には偽物とわからないこともある。そして、これを真作として販売することもある（以下、贋作という）。
【０００４】
真作又は贋作を区別するための技術として、特許文献１の美術品認識方法が開示されている。この美術品認識方法は、近距離無線通信可能なＩＣタグにシリアル番号を記憶して、美術品の裏側に張り付ける。そして、これをリーダで読み取ってＰＤＡでインターネットを介して認証機関に送信して、認証させてその結果をＰＤＡに返信させる方法である。
【先行技術文献】
【特許文献】
【０００５】
【特許文献１】特開２００５−６３２５５号公報
【発明の概要】
【発明が解決しようとする課題】
【０００６】
しかしながら、真作を作る場合は、日数がかかり、複製品といっても、真作を忠実に複製したものであるので、作者又はその真作を所有している美術館、団体若しくは法的継承者（以下、総称して真作美術品所有者という）は、真作とそん色がない複製品と認めてもらえれば、その価値も上がり、新たなビジネスとなる。
【０００７】
本発明は、以上の課題を鑑みてなされたもので、複製品であっても、その所有者及び作者に利益がでる複製品証明方法を得ることを目的とする。
【課題を解決するための手段】
【０００８】
本発明に係る複製品証明方法は、真作の複製品に備えられた、無線タグに登録されている複製品識別情報を近距離無線通信手段で読込むステップと、
読込んだ複製品識別情報と記憶手段の識別情報との一致の有無を判定するステップと、
一致する識別情報に関連付けられている前記複製品の複製品証明証画像を読込むステップと、
この複製品証明証画像を画面に表示するステップとを行うことを要旨とする。
【発明の効果】
【０００９】
以上のように本発明によれば、真作の複製品の無線タグの複製品識別情報を近距離無線通信手段で読込むことで、この複製品識別情報の複製品証明証画像が画面に表示されるので、複製品の価値が向上する。
【００１０】
また、複製品を販売する販売側の利益が向上する。
【図面の簡単な説明】
【００１１】
【図１】本実施の形態の複製品販売システムの概略構成図である。
【図２】複製品識別タグ１３２ｄの説明図である。
【図３】真作側基準複製品１３０ｂの説明図である。
【図４】製造側複製品１３０ｅの説明図である。
【図５】真作側基準複製品を製造するシーケンス図（１／３）である。
【図６】真作側基準複製品を製造するシーケンス図（２／３）である。
【図７】真作側基準複製品を製造するシーケンス図（３／３）である。
【図８】複製品販売シーケンスである。
【図９】複製品証明シーケンスである。
【図１０】真作側基準複製品動画像Ｇｅｂの説明図である。
【図１１】修正指示書の説明図である。
【図１２】複製品証明証の説明図である。
【図１３】会員配信情報Ｌｉの表示画面の説明図である。
【発明を実施するための形態】
【００１２】
以下に示す本実施の形態は、本発明の技術的思想を具体化するための装置や方法を例示するものであって、本発明の技術的思想（構造、配置）は、下記のものに特定するものではない。
本発明の技術的思想は、特許請求の範囲に記載された技術的範囲内において、種々の変更を加えることができる。図面は模式的なものであり、装置やシステムの構成等は現実のものとは異なることに留意すべきである。
【００１３】
図１は本実施の形態の複製品販売システムの概略構成図である。
図１に示す複製品販売システムは、会員側１００と、真作所有者側（以下、真作側２００という）と、撮影業者側（以下、撮影側３００という）と、複製品製造業者側（以下、製造側４００という）と、複製品販売担当者側（以下、販売担当者側６１０という）と、修正担当者側（以下修正側６７０という）と、クレジット会社側８００と、運送業者側（以下、運送側９００という）と、鑑定人側１０００と、複製品販売サービスサイト（以下、サービスサイト６００という）とを通信ネットワーク７００（インターネット）で接続してなるシステムである。
【００１４】
これらの構成によって、真作２１５（例えば、木工彫刻）を所有する真作側２００（例えば、真作の作者、美術館の担当者、店舗の担当者、真作購入者又は法定管理者等）と販売側５００のサービスサイト６００とが、販売側５００が製造側４００で複製品識別タグ１３２ｄを埋込んだ複製品を制作させる（以下、複製品１３０ｄという）。この複製品１３０ｄは３Ｄプリンタで生成している。
【００１５】
そして、サービスサイト６００は、この複製品１３０ｄに対する注文を、通信ネットワーク７００を介して会員側１００から受付けて販売する。
そして、複製品１３０ｄを購入した会員側１００に対して複製品証明証情報Ｂｉ（例えば、真作の制作中の画像、販売許可証画像付）を通信ネットワーク７００（例えば、インターネット）で提供（送信）する。
【００１６】
なお、本実施の形態では、真作側２００は、真作の作者２１０とし、著作権は作者２１０が有しているとして説明する。無論、著作権者は、企業、団体、他の個人でも構わない。
また、サービスサイト６００は、複製品１３０ｄに対する注文を受けた場合は、クレジット会社側８００の認証結果で注文を受付け、この注文受付後に運送業者９００によって会員側１００に複製品１３０ｄを送付している。
【００１７】
さらに、複製品１３０ｄの製造に当たっては、複製品１３０ｄを修正する修正側６７０の修正担当者６７１が関与する。
また、複製品１３０ｄの複製品販売価格ｈｃと複製品販売個数ｈｂ等については、販売担当者側６１０の販売担当者６１２と、鑑定人側１０００の鑑定人１１１０と、販売担当者側６１０の販売担当者６１２と、真作側２００の作者２１０等が関与する。
【００１８】
また、複製品証明証情報Ｂｉ（例えば、真作の制作中の画像、販売許可証画像付）には、撮影側担当者３１０が撮影した真作２１５、複製品１３０ｄ等の撮影画像Ｇｉを含ませている。
なお、修正側６７０及び撮影側３００は、販売側５００に存在しても構わないが、本実施の形態では、真作側２００の近傍に存在する業者として説明する。
【００１９】
＜各部の構成＞
各部の構成の説明の前に、複製品１３０ｄと製造側複製品識別タグ１３２ｅ等について説明する。
【００２０】
（複製品識別タグ１３２ｄ）
情報が書込まれる前の無線タグを単にタグ１３２ａと称する。このタグ１３２ａは、製造側４００、販売担当者側６１０に置いておくのが好ましい。
【００２１】
また、販売側５００の販売担当者側６１０で、タグ１３２ａに複製品識別基本番号Ｋｏと複製品販売受付情報番号Ｃｉ（基準複製品番号Ｐａ等が関連付けられている）等よりなる真作側基準複製品識別情報Ｋａが書込まれたものを真作側基準複製品基本情報付タグ１３２ｂと称する（図２（ａ））。
販売担当者側６１０の真作側基準複製品基本情報付タグ１３２ｂは、販売担当者側６１０が真作側２００に運んで行くのが好ましい。
【００２２】
そして、真作側２００において、真作側基準複製品識別情報Ｋａ、修正側情報番号ｋ１、著作権者側情報番号ｋ２、真作画像番号ｋ３、複製品画像番号ｋ４、ＧＰＳ位置等が暗号化された真作側基準複製品識別情報Ｋｃを書込んだものを真作側基準複製品識別タグ１３２ｃと称する（図３（ｃ）参照）。
【００２３】
また、製造側４００で、タグ１３２ａに後述する製造側複製品識別情報Ｋｅが書き込まれたものを製造側複製品識別タグ１３２ｅと称している（図２（ｂ））。
また、タグ１３２ａは、近距離無線通信機能NFC(Near Field  Communication)を有している。
この製造側複製品識別タグ１３２ｅと真作側基準複製品識別タグ１３２ｃとを総称して複製品識別タグ１３２ｄと称する。
【００２４】
（複製品１３０ｄ）
複製品１３０ｄは、真作側２００で初めて真作２１５（図３（ａ）参照）を複製した真作側基準複製品１３０ｂ（図３（Ｃ）参照）を製造側４００に持込んだもの又は、製造側４００でこの真作側基準複製品１３０ｂに基づいて複製した製造側複製品１３０ｅをいう（図４（ｃ）参照）。
【００２５】
また、撮影側３００が真作側２００に持込んだ撮影業者側３Ｄプリンタ３５０によって真作２１５（図３（ａ））を初めに複製したものは、真作側タグ無基準複製品１３０ａと称する（図３（ｂ））。
そして、このタグ無基準複製品１３０ａに、真作側基準複製品識別タグ１３２ｃ（図３（ｃ））を埋込んで、修正側６７０が真作側２００（例えば、作者２１０）で指摘された真作側修正箇所１３０ｆを修正したものを真作側基準複製品１３０ｂと称している（図３（ｃ））。
【００２６】
なお、真作側基準複製品１３０ｂの例えば裏には、基準複製品番号Ｐａ（ＴＭＣ００１）が書込まれる（３Ｄプリンタ）。または、刻印若しくは基準複製品番号Ｐａを刻印したプレートが張付けられる。
製造側複製品１３０ｅは、真作側基準複製品１３０ｂ（図４（ａ）参照）を基準にして、図４（ｂ）に示すように、複製品側４００の製造側３Ｄプリンタ４４０で複製し（以下、製造側タグ無複製品１３０ｊという）、この製造側タグ無複製品１３０ｊ（図示せず）に製造側複製品識別タグ１３２ｅを埋め込んで製造側修正箇所１３０ｆ´（例えば、色合い）を修正したものを製造側複製品１３０ｅと称している（図４（ｃ）参照）。
【００２７】
また、製造側複製品１３０ｅの裏面には、製造側複製品番号Ｐｂ（例えば、ＴＭＣ００２）が印刷又は、刻印若しくはプレートで張付けられる。本実施の形態では、印刷とする。製造側複製品番号Ｐｂは、基準複製品番号Ｐａの連番であることが好ましい。
【００２８】
（会員側１００）
会員側１００の会員１１０は、複製品１３０ｄを購入する予定者を購入予定会員１１０ａと称し、複製品１３０ｄの購入者を複製品購入会員１１０ｂと称する。そして、この会員側１００には、携帯端末である例えば会員側スマフォ１２０と会員側パソコン１４０とを備えている。これらを総称して会員側端末１５０と称する。
【００２９】
また、会員側スマフォ１２０は、セキュリティー機能付きのNFC(Near Field Communication)リーダ（図示せず）を備えている。
そして、購入予定会員１１０ａは、会員側端末１５０によって、サービスサイト６００にアクセスして複製品１３０ｄに対する複製品証明証情報Ｂｉ（例えば、真作の制作中の画像、販売許可証画像付）を受信し、これを画面に表示する。
【００３０】
（撮影側３００）
撮影側３００の撮影側担当者３１０というのは、販売側５００が契約している写真店又はプロの写真家等である。
撮影側３００は、複製品生成機である３Ｄプリンタ（以下、撮影側３Ｄプリンタ３５０という）と、デジタルカメラ（以下、撮影側カメラ３２０という）と、パソコン（以下、撮影側パソコン３３０という）等を備える。
【００３１】
（真作側２００）
真作側２００は、パソコン（以下、真作所有者側パソコン２２０という）と、電話機（以下、真作側電話機２３０という）とスマートフォン（以下、真作側スマフォ２２１という）とを備えている。これらを総称して真作側端末２２５と称する。真作側端末２２５は真作側２００（本実施の形態では作者２１０）が操作する。
また、真作側２００における真作側基準複製品１３０ｂの製造に当たっては、修正側６７０と、販売担当者側６１０と、鑑定人側１０００とが移動してくる。
【００３２】
（撮影側３００）
撮影側３００の撮影側担当者３１０というのは、販売側５００が契約している写真店又はプロの写真家等である。
撮影側３００は、複製品生成機である３Ｄプリンタ（以下、撮影側３Ｄプリンタ３５０という）と、デジタルカメラ（以下、撮影側カメラ３２０という）と、パソコン（以下、撮影側パソコン３３０という）等を備える。
【００３３】
（製造側４００）
製造側４００は、サーバ（以下、製造側サーバ４１０という）と、パソコン（製造業者側パソコン４２０という）と、３Ｄプリンタ（以下、製造側３Ｄプリンタ４４０という）等を備えて、製造側担当者４５０が複製品１３０ｄを製造して運送側９００によって会員側１００に送る。
【００３４】
（修正側６７０）
修正側６７０は、パソコン（以下、修正側パソコン６７５という）と、スマートフォン（以下、修正側スマフォ６７４という）とを備えている。これらを総称して修正側端末６７６と称する。また、修正側担当者６７１は修正道具６７２を備えている。
【００３５】
（鑑定人側）
鑑定人側１０００は、スマートフォン（以下、鑑定人側スマフォ１１１２という）と、パソコン（以下、鑑定人側パソコン１１１３という）等を備えている。これらを総称して鑑定人側端末１１１５と称する。鑑定人側１０００の鑑定人１１１０は、鑑定人側端末１１１５を持って真作側２００に向かう。
【００３６】
（販売担当者側６１０）
販売担当者側６１０は、パソコン（以下、販売担当者側パソコン６１３という）と、スマートフォン（以下、販売担当者側スマフォ６８０という）とを備えている。これらを総称して販売担当者側端末６１５と称する。
また、基本複製品識別番号Ｐａを書込む前のＮＦＣタグであるタグ１３２ａと、このタグ１３２ａに真作側基準複製品識別情報Ｋａ等を書込んだ真作側基準複製品基本情報付タグ１３２ｂを得る販売担当者側リードライタ６２０と、販売担当者側カラースキャナ６２５等を備えている。
【００３７】
（サービスサイト６００）
サービスサイト６００は、データベースサーバ６５０と、会員側用配信サーバ６５２と、受付サーバ６６０と、複製品情報提供用サーバ６７０と、画像用サーバ６９０等を備えている。
データベースサーバ６５０には、会員側情報Ａａと、撮影側情報Ａｂと、真作側情報Ａｃと、修正側情報Ａｄと、販売側情報Ａｅと、著作権者側情報Ａｆと、鑑定人側情報Ａｈ等がファイル単位で記憶されている。
【００３８】
会員側情報Ａａは、会員側情報番号ｋ６、会員側名（会員名）、会員側番号、会員側住所、会員側電話番号、会員側メールアドレス、会員登録年月日、会員側口座情報等よりなる。
撮影側情報Ａｂは、撮影側情報番号ｋ７、撮影側名、撮影側番号、撮影側担当者名、撮影側担当名番号、撮影側電話番号、会員側メールアドレス、撮影側口座情報等よりなる。
真作側情報Ａｃは、真作側基本情報Ａｃａと真作側販売受付情報Ａｃｂ等よりなる。
【００３９】
真作側基本情報Ａｃａは、真作側情報番号ｋ８、真作所側基本情報番号ｋ９、真作者番号、真作側住所、真作側氏名（例えば作者２１０）、真作側電話番号、真作側メールアドレス、真作側口座情報、真作側基本情報Ａｃａを生成したときの年月日時刻等からなる。真作側基本情報Ａｃは、販売側５００が真作側２００と契約したときに、販売担当者側６１０が販売担当者側パソコン６１３を操作して記憶している。
【００４０】
真作側情報番号ｋ８、真作側基本情報番号ｋ９は数ケタ又は数十ケタの番号であり、基準複製品情報生成部６８２が乱数発生器等によって各々異なる番号を生成している。
真作側販売受付情報Ａｃｂは、真作側情報番号ｋ８、真作側販売受付情報番号ｋ１０、真作側基本情報番号ｋ９、真作名、真作名番号、基準複製品番号Ｐａ、真作側販売受付情報Ａｃｂを生成したときの年月日時刻、打合日時、サイズ、ジャンル（木工彫刻）等からなる。真作側販売受付情報番号ｋ１０は、数ケタ又は数十ケタの番号であり、基準複製品情報生成部６８２が乱数発生器（図示せず）等によって発生させた番号である。
【００４１】
真作名番号は、基準複製品情報生成部６８２が他の乱数発生器（図示せず）によって発生させた数ケタの番号である。例えば、１６ケタ以下の番号（例えば、ＲＴＭ０２１）である。「Ｒ」は真作であることを示し、「Ｔ」は作者名の種類、「Ｍ」は真作側を示し、「０２１」は真作に付与した番号である。
【００４２】
また、基準複製品番号Ｐａは、基準複製品情報生成部６８２が他の乱数発生器（図示せず）によって発生させた数ケタの番号である。例えば、１６ケタ以下の番号（例えば、ＴＭＣ００１）である。
【００４３】
真作名、サイズ、ジャンル（木工彫刻）及び打合日時等は、販売側５００が真作側２００と連絡して、販売担当者側６１０が真作側パソコン６１３を操作して記憶している。
修正側情報Ａｄは、修正側情報番号ｋ１２、修正担当者名、修正担当者側番号、修正担当者側住所、修正側電話番号、修正側メールアドレス、修正側登録年月日、修正側口座情報等よりなる。
【００４４】
著作権者側情報Ａｆは、著作権者側情報番号ｋ１３、真作側基本情報番号ｋ１４、著作権者側番号、著作権者側住所、著作権者側氏名（例えば作者）、著作権者側電話番号、著作権者側メールアドレス、著作権者側口座情報、著作権側情報Ａｆを生成したときの年月日時刻、打合日時等からなる。
【００４５】
（画像用サーバ６９０）
画像用サーバ６９０には、真作２１５の写真画像（以下、真作写真画像Ｇａという）と、真作２１５の動画（以下、真作動画像Ｇｂという）等が記憶される。これらを、総称して真作画像Ｇｃと称する。真作写真画像Ｇａは、真作２１５が木工彫刻の場合は、正面、背面、右面、左面、上面、下面（裏面ともいう）等よりなる。
【００４６】
真作動画像Ｇｂは、真作２１５の制作中の動画、完成したときの全体の動画、真作側基準複製品１３０ｂと真作２１５と作者とを含めて撮影した動画（音声メッセージを含む）等よりなる。この音声メッセージＪｉは、例えば、「真作２１５の複製品番号ＰｂであるＴＭＣ００１番〜１００番までは、複製品１３０ｄとして販売してよいことを販売側５００に許可したものである」という音声である。
【００４７】
さらに、複製品証明証情報Ｂｉ（例えば、真作の制作中の画像、販売許可証画像付）が記憶される。
複製品販売サーバ６８０は、基準複製品情報生成部６８２と、複製品販売情報生成部６８４と、複製品認証部６８６等を備えている。
【００４８】
＜シーケンス＞
図５〜図７は真作側基準複製品を製造するシーケンス図（真作側基準複製品製造シーケンンスともいう）である。図８は複製品販売シーケンスである。図９は複製品証明シーケンスである。
図５に示すように、真作側２００の作者２１０は真作２１５を作る又は複製品１３０ｄを販売依頼することを、真作側端末２２５を操作して電話又はメールで販売担当者側６１０に伝える（ｄ１）。このとき、真作２１５がどのようなものかを伝えるのが好ましい。例えば、真作名、ジャンル（木工彫刻）、サイズ等を伝える。
【００４９】
複製品販売担当者側６１０の販売担当者６１２は、販売担当者側パソコン６１３を操作してデータベースサーバ６９０から真作側２００の名称（真作所有者番号）に関連付けられている真作側基本情報Ａｃａを画面に表示（図示せず）する（ｄ３）。
販売担当者６１２は、販売担当者側パソコン６１３を操作してデータベース６５０から撮影側情報Ａｂと、真作側情報Ａｃと、修正側情報Ａｄと、販売側情報Ａｅと、著作権者側情報Ａｆと、鑑定人側情報Ａｈ等を画面に表示する（ｄ５）。
【００５０】
そして、真作側２００が要望している打合日時間を販売担当者側スマフォ６１５で連絡する（ｄ７ａ、ｄ７ｂ、ｄ７ｃ）。このとき、販売担当者側パソコン６１３を操作してメールでも伝えている。
そして、真作側情報Ａｃの画面に、真作側２００から得た真作名、打合日時、サイズ、ジャンル（木工彫刻）等を入力して基準複製品番号Ｐａを含む真作側販売受付情報Ａｃｂを生成させる複製品販売受付処理を行わせる（ｄ９）。
【００５１】
次に、基準複製品情報生成部６８２は、基準複製品識別情報生成処理を行う（ｄ１１）。
基準複製品識別情報生成処理は、複製品販売受付情報Ａｃを複製品識別基本番号Ｋｏに基づいて暗号化して真作側基準複製品識別情報Ｋａとしてメモリに記憶する（ｄ１１ａ）。
【００５２】
なお、真作側基準複製品識別情報Ｋａは、数ケタ又は数十ケタ若しくは数百ケタの数字、記号、英字等からなる番号（コード）である。
【００５３】
そして、販売担当者側６１０の販売担当者６１２は、販売担当者側パソコン６１３を操作してメモリから真作側基準複製品識別情報Ｋａを解読して画面に表示する（ｄ１１ｂ）。但し、複製品識別基本番号Ｋｏは解読しないし、表示もしない。
【００５４】
そして、販売担当者側リードライタ６２０によって販売担当者側パソコン６１３から真作側基準複製品識別情報Ｋａを読出して、これをタグ１３２ａに書込んだ真作側基準複製品基本情報付タグ１３２ｂを得る（ｄ１１ｃ）。
【００５５】
この真作側基準複製品基本情報付タグ１３２ｂに真作側基準複製品識別情報Ｋａが正常に書き込まれた場合は、販売担当者側リードライタ６２０の複製品識別基本番号Ｋｏを削除する。また、販売担当者側パソコン６１３の複製品識別基本番号Ｋｏを削除する。
【００５６】
一方、販売担当者側６１０は、真作側２００の指定する打合日時に、販売担当者側リードライタ６２０と、販売担当者側スキャナ６２５（カラー）と、真作側基準複製品基本情報付タグ１３２ｂと、販売担当者側端末６１５とを持って、修正側６７０と、鑑定人側１０００と共に、真作側２００に向かう（ｄ１３ａ、ｄ１３ｂ、ｄ１３ｃ、ｄ１３ｄ）。
【００５７】
上記のｄ３、ｄ５、ｄ９、ｄ１１の複製品販売受付処理は基準複製品情報生成部６８２が行う。
なお、図６に示すように、販売担当者側６１０は、真作２１５の完成前に、撮影側３００と共に、真作側２００に向かって（ｄ１２ａ、ｄ１２ｂ）、制作途中の動画像（作者、周囲を含む）と写真（スチル画像）とを撮影してもよい（ｄ１４）。
【００５８】
この動画像を制作途中動画像Ｇｄ（ＧＰＳ位置（時刻付））と称し、写真を制作途中写真画像Ｇｅと称する。
この制作途中動画像Ｇｄと制作途中写真画像Ｇｅ（総称して制作途中画像Ｇｆという）は、撮影業者側カメラ３２０から販売担当者側パソコン６１３に取り込まれて、真作側基準複製品識別情報Ｋａに関連付けられて、制作途中画像情報Ｇｈとしてサービスサイト６００に送信される（ｄ１６）。
【００５９】
サービスサイト６００の複製品認証部６８６は、制作途中画像情報Ｇｈを画像用サーバ６９０に記憶する（ｄ１８）。
【００６０】
一方、真作側２００では、真作画像Ｇｃ（Ｇａ、Ｇｂ）を生成する（ｄ２１）。この真作画像Ｇｃ（Ｇａ、Ｇｂ）の生成を説明する。
撮影側３００は、撮影側カメラ３２０で真作２１５の真作写真画像Ｇａ（真作２１５の正面、背面、左面、右面、上面、下面（裏面ともいう）等）と、真作動画Ｇｂ（作者を含む）とを撮影する（ｄ２１ａ）。真作写真画像Ｇａ（真作２１５の正面、背面、左面、右面、上面、下面等）、真作動画Ｇｂ（作者を含む）の撮影時におけるＧＰＳ位置（時刻情報を含む）を付加する。
【００６１】
そして、販売担当者側パソコン６１３で撮影側カメラ３２０の真作写真画像Ｇａ（真作２１５の正面、背面、左面、右面、上面、下面等）と、真作動画Ｇｂ（作者を含む）とを取り込んで（真作画像Ｇｃ）、画面に表示する（ｄ２１ｂ）。この真作写真画像Ｇａ（真作２１５の正面、背面、左面、右面、上面、下面等）と、真作動画Ｇｂ（作者を含む）と、真作側基準複製品識別情報Ｋａとを関連付けて記憶する。
【００６２】
そして、鑑定人側１０００と販売担当者側６１０とで、真作２１５の鑑定額（以下、真作鑑定額ｈａという）及び複製品販売個数ｈｂ並びに複製品販売価格ｈｃ等を決めて、これらを年月日時刻と共に販売担当者側パソコン６１３に入力して、真作側基準複製品識別情報Ｋａに関連付けさせる。
【００６３】
さらに、販売担当者側パソコン６１３がこれに真作画像Ｇｃ（Ｇａ、Ｇｂ：ＧＰＳ位置付）の真作画像番号ｋ３を関連付けて真作側基準複製品識別情報Ｋｃとして生成して内部メモリに記憶する（ｄ２１ｃ）。
【００６４】
そして、販売担当側リーダライタ６２０は、販売担当者側パソコン６１３にアクセスし（ｄ２３ａ）、販売担当者側パソコン６１３はこのアクセスに伴って真作側基準複製品識別情報Ｋｃを販売担当側リーダライタ６２０に送信する（ｄ２３ｂ）。
【００６５】
販売担当側リーダライタ６２０（ＮＦＣ機能付き）は真作側基準複製品識別情報Ｋｃを真作側基準複製品基本情報付タグ１３２ｂに書込み、真作側基準複製品識別タグ１３２ｃを得る（ｄ２３ｃ）。
【００６６】
そして、撮影側３００は、撮影側３Ｄプリンタ３５０で、真作２１５の真作側タグ無基準複製品１３０ａを生成する（ｄ２５ａ）。
【００６７】
この撮影側３Ｄプリンタ３５０は、メモリを備え、このメモリに真作２１５の３次元形状、ドット当たりの色、色度合等の情報に真作側基準複製品識別情報Ｋｃを関連付けて真作３次元形状情報ＤＮｉとして記憶する（ｄ２５ａａ）。
【００６８】
そして、撮影側３００、販売担当者側６１０又は修正側６７０は、真作側タグ無基準複製品１３０ａの裏側から真作側基準複製品識別タグ１３２ｃを埋込んだ真作側タグ埋込基準複製品１３２ｃａを生成する（ｄ２５ｂ）。
【００６９】
そして、修正側６７０は、この真作側タグ埋込基準複製品１３２ｃａを真作側２００に指摘された真作側修正箇所１３０ｆを修正（例えば、色合い等）する（ｄ２５ｃ）。
そして、修正側６７０は、販売担当者側パソコン６１３の複製品販売受付情報Ａｃを画面に表示させて、基準複製品番号Ｐａを見て、裏側に書込んで、真作側基準複製品１３０ｂを得る（ｄ２５ｄ）。
【００７０】
そして、図７に示すように、撮影側３００は、撮影側カメラ３２０を用いて、真作側基準複製品１３０ｂを撮影（以下、真作側基準複製品画像Ｇｅという）して（ｄ２７）、販売側パソコンに送信する（ｄ２８）。
【００７１】
この真作側基準複製品画像Ｇｅは、真作側基準複製品１３０ｂの真作側基準複製品写真画像Ｇｅａと、真作側基準複製品動画像Ｇｅｂ等である。
真作側基準複製品写真画像Ｇｅａは、真作側基準複製品１３０ｂの正面、背面、右面、左面、裏面等である。
【００７２】
また、真作側基準複製品動画像Ｇｅｂは、真作側２００の作者と真作２１５と真作側基準複製品１３０ｂ等を含んだ動画（図１０参照）あり、さらに音声メッセージＪｉを含む。この音声メッセージＪｉは例えば、「この真作側基準複製品１３０ｂの真作側基準複製品番号○○から○○番までは、私が複製品として許可したものである」という音声メッセージである。
【００７３】
また、撮影側カメラ３２０で撮影したときの撮影日時Ｔｉが付加される。
そして、図７に示すように、販売担当者側パソコン６１３は真作側基準複製品画像Ｇｅ（Ｇｅａ、Ｇｅｂ）の番号に真作側基準複製品識別情報Ｋｃを関連付けた真作側基準複製品画像情報Ｍａを生成する（ｄ２９）。
【００７４】
また、販売担当者側６１０は、販売担当者側パソコン６１３を操作して修正指示書６７２を販売側スキャナ６２５で印字して修正者側６７０によって真作側修正箇所１３０ｆを書込させる（ｄ３１）。この修正指示書６７２は、図１１に示す。
【００７５】
そして、販売側スキャナ６２５で、この修正指示画像ＧＱｉを販売側スキャナ６２５で販売担当者側パソコン６１３に送信する（ｄ３４）。
【００７６】
販売担当者側パソコン６１３は修正指示画像ＧＱｉの番号に真作側基準複製品識別情報Ｋｃを関連付けた修正箇所画像情報Ｍｂを生成する（ｄ３３）。
【００７７】
また、販売担当者側６１０は、販売担当者側パソコン６１３を操作して、販売側スキャナ６２５から図１２に示す複製品証明証６３０（正と副）を印刷させて真作側２００の作者よりサインを得る（ｄ３５）。この複製品証明証６３０の正（例えば、６３０ａ）又は副（例えば、６３０ｂ）を真作側２００に渡す。
【００７８】
そして、販売担当者６１２は販売担当側スキャナ６２５から複製品証明証画像ＧＳｉを販売担当者側パソコン６１３に送信する（ｄ３６）。
販売担当者側パソコン６１３は、この複製品証明証画像ＧＳｉの番号に真作側基準複製品識別情報Ｋｃを関連付け複製品証明証情報Ｍｃを生成する（ｄ３７）。
【００７９】
そして、販売者側パソコンは、真作側基準複製品画像情報Ｍａと、修正箇所画像情報Ｍｂと、複製品証明証情報Ｍｃと、真作側基準複製品画像Ｇｅ（Ｇｅａ、Ｇｅｂ）と、修正指示画像ＧＱｉと、複製品証明証画像ＧＳｉとを組とする真作側基準複製品関連情報Ｖｉ（真作側基準複製品画像情報Ｍａと、修正箇所画像情報Ｍｂと、複製品証明証情報Ｍｃと、真作側基準複製品画像Ｇｅ（Ｇｅａ、Ｇｅｂ）と、修正指示画像ＧＱｉと、複製品証明証画像ＧＳｉ）として生成し（ｄ３８）、サービスサイト６００に送信する（ｄ３９）。
【００８０】
一方、サービスサイト６００の基準複製品情報生成部６８２は、真作側基準複製品関連情報Ｖｉ（真作側基準複製品画像情報Ｍａと、修正箇所画像情報Ｍｂと、複製品証明証情報Ｍｃと、真作側基準複製品画像Ｇｅ（Ｇｅａ、Ｇｅｂ）と、修正指示画像ＧＱｉと、複製品証明証画像ＧＳｉ）を受信し、受信年月日時刻等を付加して真作側基準複製品画像Ｇｅ（Ｇｅａ、Ｇｅｂ）と、修正指示画像ＧＱｉと、複製品証明証画像ＧＳｉ画像サーバ６９０に記憶する（ｄ４１）。
【００８１】
また、真作側基準複製品関連情報Ｖｉの真作側基準複製品画像情報Ｍａと、修正箇所画像情報Ｍｂと、複製品証明証情報Ｍｃに受信年月日等を付加して販売側複製品情報Ｗｉとして、メモリ６８３に記憶する（ｄ４３）。
【００８２】
また、販売者担当者は販売担当者側パソコン６１３を操作して撮影側３Ｄプリンタ３５０から真作３次元形状情報ＤＮｉを読込み、これをサービスサイト６００に送信する（ｄ４０ａ）。サービスサイト６００の基準複製品情報生成部６８２は、真作３次元形状情報ＤＮｉを受信し、これを画像用サーバ６９０に記憶し（ｄ４０ｂ）、製造側４００に真作３次元形状情報ＤＮｉと販売側複製品情報Ｗｉ（真作側基準複製品画像情報Ｍａと、修正箇所画像情報Ｍｂと、複製品証明証情報Ｍｃに受信年月日）とを送信する（ｄ４０ｃ）。製造側４００はこれをメモリに記憶する（ｄ４０ｄ）。
【００８３】
そして、販売担当者６１２は、修正指示書６７２と複製品証明証６３０等を販売側５００に持込む（ｄ４５）。また、販売担当者６１２は、真作側基準複製品１３０ｂを製造側４００に運送業者側によって送る（ｄ４７）。
この一連の処理で販売受付準備ができたことになる。
【００８４】
＜複製品販売シーケンス）
次に、複製品販売シーケンスについて図８を用いて説明する。サービスサイト６００の複製品情報生成部６７４は、会員配信情報Ｌｉを生成する（ｄ５１）。
【００８５】
会員配信情報Ｌｉの生成は、以下のようにして生成する。複製品販売情報生成部６８４は、データベースサーバ６５０の会員側情報Ａａの内でジャンル、作者名等が同じ又は同類の会員側情報Ａａを全て引き当てる。そして、このジャンル、作者名等が同じジャンル、作者名を有する販売側複製品情報Ｗｉをメモリから検索する。
【００８６】
そして、検索した販売側複製品情報Ｗｉの複製品販売個数ｈｂに残個数がある場合は、画像用サーバ６９０から販売側複製品情報Ｗｉに含まれている基準複製品識別情報Ｋｃを有する真作側基準複製品画像Ｇｅ（真作側基準複製品写真画像Ｇｅａと、真作側基準複製品動画像Ｇｅｂ）を引き当てる。
【００８７】
そして、真作側基準複製品画像Ｇｅ（真作側基準複製品写真画像Ｇｅａと、真作側基準複製品動画像Ｇｅｂ）に含まれている真作写真画像Ｇｅａ（正面Ｇｅａ１、背面Ｇｅａ２、・・）と、真作側基準複製品動画像Ｇｅｂとを読込む。画像サーバ６９０に制作途中の画像があれば、これを含ませるのが好ましい。
【００８８】
そして、販売側複製品情報Ｗｉに含まれている真作鑑定額ｈａと、複製品販売個数ｈｂと、会員情報番号と、複製品販売残個数と、複製品販売額、基準複製品識別情報Ｋｃ等を会員用配信情報Ｌｉとしている。
【００８９】
複製品販売情報生成部６８４は、この会員配信情報Ｌｉを会員側用配信サーバ６５２に出力し、会員側用配信サーバ６５２が会員配信情報Ｌｉの基準複製品識別情報Ｋｃに含まれている会員情報番号が付加されている会員情報に基づいて該当の会員側１００に配信させる（ｄ５３）。
【００９０】
会員側１００の会員側端末１５０は、サービスサイト５００からの会員配信情報Ｌｉを受信し、会員配信情報Ｌｉをサービスサイト５００の制御データに基づいて図１３に示すように画面に表示する（ｄ５５）。
【００９１】
なお、真作写真画像及び複製品写真は、正面を基本とし、スクロールボタン等（図示せず）によて、背面、上面、右面、左面、裏面を表示となる。さらに、動画ボタン（図示せず）の選択に伴って真作動画及び複製品動画を表示する。
会員側端末１５０は、真作途中画像ボタン（図示せず）の選択で、真作制作途中画像を再生する。
【００９２】
そして、購入ボタンが選択された場合は、複製品購入日時と、会員情報番号と、購入フラグと、基準複製品識別情報Ｋｃ等を複製品購入要求情報ＬＷｉ（複製品購入日時と、会員情報番号と、購入フラグと、基準複製品識別情報Ｋｃ）としてサービスサイト６００に送信する（ｄ５７）。
【００９３】
このとき、証明期間ボタンを操作して、１年、２年、・・５年。・・１０年の期間を入力するのが好ましい。この証明期間が複製品購入要求情報ＬＷｉに付加される。
【００９４】
サービスサイト６００の複製品販売情報生成部６８４は、複製品購入要求情報ＬＷｉ（複製品購入日時と、会員情報番号と、購入フラグと、基準複製品識別情報Ｋｃ）を受信してメモリに記憶し、複製品購入のためのクレジット入力画面情報（会員名、住所、電話番号、真作名、真作作者名、複製品販売価格ｈｃ、購入個数、カード決済画面付き）と複製品購入要求情報番号と基準複製品識別情報Ｋｃとをクレジット入力画面情報ＡＷｉとして会員側端末１５０に送信する（ｄ５９）。
【００９５】
会員側１００の会員は、このクレジット入力画面情報ＡＷｉに基づくクレジット入力画面に所定事項を入力し、会員端末１５０は、この入力情報を決済要求情報ＤＷｉ（会員名、住所、電話番号、真作名、真作作者名、複製品販売価格ｈｃ、購入個数、購入合計額、複製品購入要求情報番号、基準複製品識別情報Ｋｃ等）としてサービスサイト５００に送信する（ｄ６１）。
【００９６】
サービスサイト５００の複製品販売情報生成部６８４は、決済要求情報ＤＷｉ（会員名、住所、電話番号、真作名、真作作者名、複製品販売価格ｈｃ、購入個数、購入合計額、複製品購入要求情報番号、基準複製品識別情報Ｋｃ等）を受信してクレジット会社側８００から認証を受ける（ｄ６３）。
【００９７】
サービスサイト５００の複製品販売情報生成部６８４は、認証ＯＫとなった場合は、複製品購入要求情報ＬＷｉ（会員情報番号、購入フラグ、基準複製品識別情報Ｋｃ）に、購入日時と、基準複製品識別情報Ｋｃを付加し、これを会員側複製品購入履歴情報Ｚｉ（複製品購入要求情報ＬＷｉ（会員情報番号、購入フラグ、基準複製品識別情報Ｋｃ、購入日時）として購入履歴用メモリ６８５に記憶する（ｄ６５）。
【００９８】
そして、複製品販売情報生成部６８４は、基準複製品用情報メモリ６７３の販売側複製品情報Ｗｉの複製品販売個数ｈｂから購買個数を減算する（ｄ６７）。
【００９９】
そして、複製品１３０ｄを購入した会員を複製品購入会員１１０ｂとし、会員側複製品購入履歴情報Ｚｉに複製品購入会員番号を付加する。
【０１００】
そして、複製品購入要求情報ＬＷｉと、「お買い上げありがとうございます」というメッセージと、発送予定日等を購入会員端末側１００に送信する（ｄ６９）。
【０１０１】
初回の減算の場合は、複製品購入会員１１０ｂの会員側複製品購入履歴情報Ｚｉに真作側基準複製品購入フラグを付加する。
【０１０２】
そして、会員側複製品購入履歴情報Ｚｉの購入フラグが真作側基準複製品購入フラグかどうか（購入会員は真作複製品の購入か）を判断する（ｄ７１）。
【０１０３】
真作側基準複製品購入フラグが付加されている会員側複製品購入履歴情報Ｚｉ（複製品購入要求情報ＬＷｉ（会員情報番号と、真作名、購入フラグ（又は真作側基準複製品購入フラグ）と複製品販売用情報番号、複製品販売金額、販売側複製品番号（真作側基準複製品番号））を基準複製品購入会員履歴情報Ｚａと称し、購入フラグが付加されている会員側複製品購入履歴情報Ｚｉを複製品購入会員履歴情報Ｚｂと称する。
【０１０４】
この販売側複製品番号は、複製品購入要求情報ＬＷｉの入力に伴って、販売側複製品情報Ｗｉの販売側複製品番号に「１」を加算した値とする。
【０１０５】
真作基準複製品の購入の場合は、製造側４００に複製品購入要求情報ＬＷｉに購入日、指示日時等を付加した真作複製品発送指示情報を送信する（ｄ７３）。
また、購入会員は真作基準複製品の購入でないと判断した場合は、製造側複製品識別情報Ｋｄを生成する（ｄ７５）。
【０１０６】
製造側複製品識別情報Ｋｄを生成は、複製品購入会員履歴情報Ｚｂを読込む。そして、販売側複製品情報Ｗｉを解読し、これに含まれている販売側複製品番号を更新し、販売側５００のネッワークアドレス等を付加して製造側複製品識別情報Ｋｄとする。
【０１０７】
そして、この製造側複製品識別情報Ｋｄを複製品識別基本番号Ｋｏで暗号化して製造側４００に送信する（ｄ７７）。
【０１０８】
一方、製造側４００は、製造側複製品識別情報Ｋｄを受信し、製造側複製品識別情報Ｋｄに基づいて、製造側複製品１３０ｅを生成する（ｄ７９）。
【０１０９】
製造側複製品は以下のようにして生成している。
製造側４００の製造側担当者４５０は、製造側パソコン４２０を操作して製造側サーバ４１０から製造側複製品識別情報Ｋｄを解読させて画面に表示する。但し、複製品識別基本番号Ｋｏは解読しないし、表示もしない。
【０１１０】
そして、製造側パソコン４２０が製造側複製品識別情報Ｋｄを暗号化させて、製造側担当者４５０の製造側リーダライタ（図示せず）に送出させて、これをタグ１３２ａに書込んで製造側複製品識別情報付タグ１３２ｂ´を得る。この製造側複製品識別情報Ｋｄが製造側複製品識別情報付タグ１３２ｂ´に正常に書き込まれた場合は、製造側リードライタの複製品識別基本番号Ｋｏを削除する。また、製造側パソコン４２０の複製品識別基本番号Ｋｏを削除する。
【０１１１】
そして、製造側４００は、製造側３Ｄプリンタ４４０でメモリの真作３次元形状情報ＤＮｉを読込ませて、この真作３次元形状情報ＤＮｉに基づいて製造側タグ無複製品１３０ｊを製造させる。
【０１１２】
そして、製造側４００、製造側担当者４５０又は製造側修正担当者（図示せず）は、製造側タグ無複製品１３０ｊの裏側から製造側複製品識別情報付タグ１３２ｂ´を埋込んだ製造側タグ埋込複製品を生成する。
【０１１３】
そして、製造側修正担当者は、この製造側タグ埋込複製品を修正指示書６１２に基づいて修正（例えば、色合い等）する。
そして、製造側担当者４５０は、製造側パソコン４２０の画面に表示されている製造側複製品番号を見て、裏側に製造側複製品番号を書込んで、製造側複製品１３０ｅを得る。
【０１１４】
そして、製造側担当者パソコン４２０を操作して製造側複製品識別情報Ｋｄに製造側複製製品完了フラグを付加し、これに運輸業者側の伝票番号を付加した製造側複製品製造完了情報をサービスサイトに送信する（ｄ８０）。そして、この複製品１３０ｄを複製品購入会員側に送る（ｄ８１）。
【０１１５】
（複製品認証シーケンス）
複製品認証シーケンスは図９を用いて説明する。
複製品購入会員１１０ｂは、スマフォ１２０を操作して、複製品認証ボタン（図示せず）を選択する（ｄ９１）。
【０１１６】
この選択に伴って、スマフォ１２０がセキュリティー機能付きのNFC(Near Field Communication)リーダ（図示せず）を起動させる。そして、複製品購入会員１１０ｂは、購入複製品にスマフォ１２０を近づけて、複製品識別情報付タグの複製品識別情報を読込み、複製品識別情報に認証モードコードとスマフォ１２０のアドレス等を付加してサービスサイトに送信する（ｄ９３）。
【０１１７】
サービスサイトの複製品認証部６８６は、複製品識別情報を受信して複製品認証処理を行う（ｄ９５）。
複製品認証処理について以下に説明する。
複製品識別情報Ｋｃを複製品識別基本番号Ｋｏを用いて解読する。
【０１１８】
そして、受信したこの複製品識別情報Ｋｃに認証モードコードが付加されている場合はメモリ６８３の販売側複製品情報Ｗｉに含まれている複製品識別情報Ｋｃと一致するかどうかを判断する複製品証明証発行判定処理を行う（ｄ９５）。
【０１１９】
一致する場合は、受信した複製品識別情報Ｋｃを有する複製品証明証画像ＧＳｉを画像サーバ６９０から引き当てる。そして、この複製品証明証画像ＧＳｉを会員側端末１５０に送信する（ｄ９７）。
【０１２０】
このとき、一致するメモリ６８３の販売側複製品情報Ｗｉに証明期間が含まれている場合は、カレンダー（図示せず）の現在日時と比較して証明期間内である場合に、複製品証明証画像ＧＳｉを送信するのが好ましい。証明期間は有料にするのが好ましい。
【０１２１】
会員側端末１５０は、これをダウンロードする（ｄ９９）。従って、複製品を購入した会員は、以後は証明期間内であれば、複製品１３０ｄが真作側２００によって認められたものであることを証明できる。
【０１２２】
なお、複製品の販売は、タイプ別にして販売しても構わない。また、ダウンロード後は、会員側端末１５０に複製品認証部６４６をダウンロードさせてもよい。
また、基準複製品は真作のタイプ別（１０ｃｍタイプ、３０ｃｍタイプ、６０ｃｍタイプ、・・）に制作しても構わないし、これを製造側で制作しても構わない。
【符号の説明】
【０１２３】
１００  会員側
２００  真作側
３００  撮影側
４００  製造側
６１０  販売側
６７０  修正側
８００  クレジット会社側
９００  運送側
１０００  鑑定人側
６００  サービスサイト
１３０ｄ  複製品
１３２ｃ  真作側基準複製品識別タグ
１３２ｄ  複製品識別タグ
６７０  複製品販売サーバ
６７２  基準複製品情報生成部
６７４  複製品販売情報生成部
６７６  複製品認証部
【図１】
2020149076.tif 000003
【図２】
2020149076.tif 000004
【図３】
2020149076.tif 000005
【図４】
2020149076.tif 000006
【図５】
2020149076.tif 000007
【図６】
2020149076.tif 000008
【図７】
2020149076.tif 000009
【図８】
2020149076.tif 000010
【図９】
2020149076.tif 000011
【図１０】
2020149076.tif 000012
【図１１】
2020149076.tif 000013
【図１２】
2020149076.tif 000014
【図１３】
2020149076.tif 000015